(57)【特許請求の範囲】
【請求項１】
プリンタ本体ケースに設けられたヒンジ用穴にプリンタカバーの基端に設けられたヒンジ用凸部が挿入されて装着され、且つ該ヒンジ用凸部側を支点として自由端側が回動して開閉されるプリンタカバーのヒンジ装置において、前記ヒンジ用凸部及び前記ヒンジ用穴に形成され前記ヒンジ用凸部を案内する回転ガイド部に、プリンタカバー回動時の前記ヒンジ用凸部の前記ヒンジ用穴に対する相対的位置ずれを吸収して前記回動を円滑化する摺動面を形成してなり、
前記摺動面は、前記プリンタカバーの回動時に前記ヒンジ用凸部を案内する内側回転ガイド部及び外側回転ガイド部の各円弧の中心をずらして前記ヒンジ用穴を形成し、且つ、湾曲形成されてなる前記ヒンジ用凸部の凹曲面部及び凸曲面部の各円弧の中心をずらして形成されてなり、
前記ヒンジ用穴の内側回転ガイド部の外周円弧の中心はその外側回転ガイド部の内周円弧の中心よりプリンタ前面方向で且つ下方にずらして形成されると共に、前記ヒンジ用凸部の凹曲面部の円弧の中心はその凸曲面部の円弧の中心よりプリンタ前面方向で且つ下方にずらして形成されてなることを特徴とするプリンタカバーのヒンジ装置。
【請求項２】
請求項１に記載のプリンタカバーのヒンジ装置を備えたことを特徴とするプリンタ。
【発明の詳細な説明】
【０００１】
【発明の属する技術分野】
本発明は、プリンタカバーのヒンジ装置の構造の改良に係り、特に、前記ヒンジ用穴の一部を構成する回転ガイド部の形状と前記ヒンジ用凸部の一部を構成する凹曲面及び凸曲面の形状に変化を持たせることにより、当該プリンタカバーの開放が円滑にできるようにしたプリンタカバーのヒンジ装置及びこのヒンジ装置を備えたプリンタに関するものである。
【０００２】
【従来の技術】
一般に、プリンタは、印刷機構部分やその他主要部分を収納するプリンタ本体ケースと、当該プリンタ本体ケースに回動可能に連結されたプリンタカバーとにより、前記印刷機構部分等を覆った構造をしたものが多く提供されている。このため、従前より、プリンタには、プリンタ本体ケースとプリンタカバーとの間を回動可能に連結するためのヒンジ装置が設けられており、保守や紙詰まりやその他必要な場合に、プリンタカバーを開放できるようにしている。
【０００３】
図７は従来のプリンタの要部を一部断面で示す図である。図８はプリンタのヒンジ装置の要部で、図７とは異なる部分で切った断面を拡大して示す図である。これらの図において、プリンタは、印字機構部分等を納めたプリンタ本体ケース１と、このプリンタ本体ケース１にヒンジ装置２を介して回動可能に連結されたプリンタカバー３とから形成されている。
【０００４】
このヒンジ装置２は次のような構造に形成されている。すなわち、プリンタカバー３の基端の長手方向の両端部には、舌状のヒンジ用凸部４が一対設けられている。これらヒンジ用凸部４は、その基端部が湾曲形成されることにより、その基端部の表裏において凹曲面部５と凸曲面部６とが形成されている。前記凸曲面部６には、補強リブ７が形成されている。また、プリンタ本体ケース１の上ケース８には、ヒンジ用穴９が形成されている。前記ヒンジ用穴９の部分には、プリンタカバー３の回動時にその凹曲面部５及び凸曲面部６の各部分を案内する内側回転ガイド部１０及び外側回転ガイド部１１がそれぞれ設けられている。また、前記ヒンジ用穴９の部分には、プリンタカバー３が開立時にそのヒンジ用凸部４の先端部１２が当接する受け部１３が形成されている。このように上記プリンタカバー３は、そのヒンジ用凸部４がプリンタ本体ケース１のヒンジ用穴９に挿入され、その状態で該ヒンジ用凸部４側を支点として自由端側が回動して開閉されるようになっている。
【０００５】
また、プリンタ本体ケース１のヒンジ用穴９近傍外面のプリンタカバー３の開方向側、すなわちフロント側には開状態のプリンタカバー３の基端外面から遠ざかる方向となる下方向に傾斜する傾斜部１４が形成されており、この傾斜部１４にはオペレーションパネル等が設けられている。
【０００６】
なお、前記ヒンジ用穴９を構成する内側回転ガイド部１０の外周面及び外側回転ガイド部１１の内周面は、図８に示した如く、いずれも点Ｏｏを中心としてそれぞれ所定の半径でもって円弧状に形成されている。また、上記ヒンジ用凸部４を構成する凹曲面部５の内周面及び凸曲面部６の外周面も、同様に、いずれも点Ｏｏを中心としてそれぞれ所定の半径でもって円弧状に形成されている。そして、このプリンタカバー３を解放操作するときには、プリンタカバー３は点Ｏｏを中心として回転されるように設計されている。
【０００７】
【発明が解決しようとする課題】
上述したような従来のヒンジ装置２によれば、プリンタカバー３を開放しようとした場合、図９に示すように、矢印ｆ方向に加重力Ｆがプリンタカバー３に加わり、プリンタカバー３のヒンジ用凸部４がプリンタ本体ケース１の回転ガイド部１０，１１の間の空間に潜り込んだ状態になる。
【０００８】
このように位置ずれした状態になると、プリンタ本体ケース１の前記回転ガイド部１０に、プリンタカバー３のヒンジ用凸部４の凹曲面部５が領域ａで当接することになり、回転ガイド部１０，１１と、ヒンジ用凸部４との間にプリンタカバー３を円滑に回動するために必要な隙間がなくなってしまい、前記点Ｏｏを中心として回転される状態ではなくなるため、プリンタカバー３が円滑に回動できなくなるという問題があった。
【０００９】
本発明の課題は、プリンタカバーを開放操作する場合に、当該プリンタカバーを円滑に開放できる機構を供えたプリンタカバーのヒンジ装置を提供することにある。また、本発明の他の課題は、このようなプリンターカバーのヒンジ装置を備えたプリンタを提供することにある。
【００１０】
【課題を解決するための手段】
上記課題を達成するため、本願請求項１に記載の発明は、プリンタ本体ケースに設けられたヒンジ用穴にプリンタカバーの基端に設けられたヒンジ用凸部が挿入されて装着され、且つ該ヒンジ用凸部側を支点として自由端側が回動して開閉されるプリンタカバーのヒンジ装置において、前記ヒンジ用凸部及び前記ヒンジ用穴に形成され前記ヒンジ用凸部を案内する回転ガイド部に、プリンタカバー回動時の前記ヒンジ用凸部の前記ヒンジ用穴に対する相対的位置ずれを吸収して前記回動を円滑化する摺動面を形成してなり、前記摺動面は、前記プリンタカバーの回動時に前記ヒンジ用凸部を案内する内側回転ガイド部及び外側回転ガイド部の各円弧の中心をずらして前記ヒンジ用穴を形成し、且つ、湾曲形成されてなる前記ヒンジ用凸部の凹曲面部及び凸曲面部の各円弧の中心をずらして形成されてなり、前記ヒンジ用穴の内側回転ガイド部の外周円弧の中心はその外側回転ガイド部の内周円弧の中心よりプリンタ前面方向で且つ下方にずらして形成されると共に、前記ヒンジ用凸部の凹曲面部の円弧の中心はその凸曲面部の円弧の中心よりプリンタ前面方向で且つ下方にずらして形成されてなることを特徴とする。
【００１１】
本発明によれば、前記相対的位置ずれを吸収する摺動面を設けたので、プリンタカバーを解放しようとしてプリンタカバーのヒンジ用凸部がプリンタ本体ケースの外側回転ガイド部及び内側回転ガイド部の間の空間に潜り込んだ状態になっても、適正に間隙が確保されることになり、回転中心が現状の状態に適合し、円滑なる解放操作ができることになる。
【００１２】
更に、前記摺動面が、前記プリンタカバーの回動時に前記ヒンジ用凸部を案内する内側回転ガイド部及び外側回転ガイド部の各円弧の中心をずらして前記ヒンジ用穴を形成し、且つ、湾曲形成されてなる前記ヒンジ用凸部の凹曲面部及び凸曲面部の各円弧の中心をずらして形成されてなることを特徴とする。このようにヒンジ用穴を構成する外側回転ガイド部及び内側回転ガイドの各摺動面を構成する各円弧の中心をずらし、且つヒンジ用凸部の凹曲面部と凸曲面部の摺動面を構成する各円弧の中心をずらして形成したことにより、プリンタカバーを解放しようとしてプリンタカバーのヒンジ用凸部がプリンタ本体ケースの外側回転ガイド部及び内側回転ガイド部の間の空間に潜り込んだ状態になった場合に、適正に間隙が確保されるための構造が簡単になる。
【００１３】
更に、前記ヒンジ用穴の内側回転ガイド部の外周円弧の中心はその外側回転ガイド部の内周円弧の中心よりプリンタ前面方向で且つ下方にずらして形成されると共に、前記ヒンジ用凸部の凹曲面部の円弧の中心はその凸曲面部の円弧の中心よりプリンタ前面方向で且つ下方にずらして形成されてなることを特徴とする。このような位置関係に円弧の中心をずらせると、プリンタカバーを解放することによってプリンタカバーのヒンジ用凸部がプリンタ本体ケースの外側回転ガイド部及び内側回転ガイド部の間の空間に潜り込んだ状態になった場合に、現実の状態に円弧の中心を合致させ、ヒンジ用凸部とヒンジ用穴の回転ガイド部間に適切な間隙を確保する構造が一層簡単になる。なお、ヒンジ用凸部の円弧の中心が上記位置関係になると、根本部が肉厚になって機械的強度が増す効果も得られる。
【００１４】
また、本願請求項２に記載の発明は、請求項１に記載されたプリンタカバーのヒンジ装置を備えたことを特徴とするプリンタである。これにより、プリンタカバーの開操作が円滑に行うことができるプリンタを得ることができる。
【００１５】
【発明の実施の形態】
以下、本願発明の実施の形態を図面に基づいて説明する。図１は、本発明に係るプリンタカバーのヒンジ装置を示す断面図である。図２は、本発明に係るプリンタの一実施の形態を示す斜視図である。図３は、本発明に係るプリンタカバーのヒンジ装置のプリンタ本体ケース側の一実施の形態を示す斜視図である。図４は、同プリンタカバーの一実施の形態を示す斜視図である。図５は、同プリンタカバーのヒンジ装置のヒンジ用穴の構造を示す図である。図６は、同プリンタカバーのヒンジ装置のヒンジ用凸部の構造を示す図である。これらの図に示す実施の形態において、図７乃至図９に示すプリンタカバーのヒンジ装置と同一構成部分には、同一の符号を付して説明を省略する。
【００１６】
このヒンジ装置２は次のような構造をしている。すなわち、図３に示した如くこのプリンタ本体ケース１のフロント側の端部１６側には、ヒンジ用穴９が設けられている。また、前記ヒンジ用穴９は、図示しないが、左右両端に対称的に一対設けられている。また、ヒンジ用穴９には、プリンタカバー３の基端側のヒンジ用凸部４が挿入されて装着されている（図１及び図２参照）。これらヒンジ用穴９の部分は、図１及び図５に示すように、プリンタカバー３の回動時にその凹曲面部５及び凸曲面部６の各部分を案内する内側回転ガイド部１０及び外側回転ガイド部１１がそれぞれ設けられている。
【００１７】
前記内側回転ガイド部１０の外周面は円弧状の摺動面に形成されており、この円弧の中心を点Ｏａとする。また、前記外側回転ガイド部１１の内周面は円弧状の摺動面に形成されており、この円弧の中心を点Ｏｂとする。内側回転ガイド部１０の前記円弧の中心Ｏａは、外側回転ガイド部１１の前記円弧の中心Ｏｂよりずらして形成されている。即ち、内側回転ガイド部１０の前記円弧の中心Ｏａは、その外側回転ガイド部１１の前記円弧の中心Ｏｂより、プリンタの前面方向に且つ下方にずらして形成されている。
【００１８】
前記内側回転ガイド部１０の円弧の中心Ｏａを起点とすれば、同ヒンジ用凸部４を案内する外側回転ガイド部１１の円弧の中心Ｏｂは、中心Ｏａから垂直方向で図示上側に距離Ｌaｖとし、中心Ｏａから水方向で図示右側に距離Ｌaｈとした点に位置するようにずらしてある。また、回転ガイド部１０は中心Ｏａから半径ｒａの円弧として形成され、回転ガイド部１１は中心Ｏｂから半径ｒｂの円弧として形成されている。このような形状に内側回転ガイド部１０の外周面と、外側回転ガイド部１１の内周面とを形成することにより、プリンタカバー３が解放操作されることにより発生するずれを吸収する摺動面が構成されることになる。
【００１９】
一方、プリンタカバー３基端の一対の舌状ヒンジ用凸部４は、湾曲形成されることにより、その基端部の表裏において凹曲面部５と凸曲面部６とが形成されている。プリンタカバー３は、そのヒンジ用凸部４がプリンタ本体ケース１のヒンジ用穴９に挿入され、その状態で該ヒンジ用凸部４側を支点として自由端側が回動して開閉されるようになっている。前記ヒンジ用凸部４は、湾曲して形成された凹曲面部５を円弧状に形成してあり、その円弧の中心を点Ｏｃとする。また、湾曲形成された凸曲面部６も円弧状に形成してあり、その円弧の中心を点Ｏｄとする。この場合、前記中心Ｏｃと中心Ｏｄとずらして形成されている。すなわち、前記ヒンジ用凸部４の凹曲面部５の円弧の中心Ｏｃは、その凸曲面部６の円弧の中心Ｏｄより、プリンタの前面方向に且つ下方にずらして形成されている。
【００２０】
前記凹曲面部５の円弧の中心Ｏｃを起点とすれば、その凸曲面部６の円弧の中心Ｏｄは、中心Ｏｃより垂直方向で図示上側に距離Ｌcｖ、中心Ｏｃより水平方向で図示右側に距離Ｌcｈとした点に位置するようにずらしてある。また、凹曲面部５は、中心Ｏｃから半径ｒｃの円弧で形成され、凸曲面部６は、中心Ｏｄから半径ｒｄの円弧として形成されている。このような形状に上記凹曲面部５と上記凸曲面部６とを形成することにより、プリンタカバー３が解放操作されることにより発生するずれを吸収する摺動面が構成されることになる。なお、このヒンジ用凸部４には、従来の先端部１２とは異なって短い先端部１２ａに形成されている。
【００２１】
また、図２及び図３に示すように、プリンタ本体ケース１の上ケース８のフロント側には、手前に下降する傾斜部１４が形成されている。この傾斜部１４は、オペレーションパネル１９及びロゴプレート２０等の配設場所として用いられている。なお、符号２１は下ケース、符号２２は紙パス切換レバー、符号２３はシートガイドフレーム、符号２４はエッジガイド、符号２５はサブシートガイド、符号２６はフロントカバーを示し、それぞれ公知の構造で構成されている。
【００２２】
次に、これらの図を参照して上記実施の形態の作用を説明する。プリンタカバー３を解放する場合、プリンタカバー３には図１の矢印ｆに向く加重力Ｆ、すなわち、プリンタカバー３のヒンジ用穴９側方向への荷重力Ｆが加わって、プリンタカバー３のヒンジ用凸部４がプリンタ本体ケース１の回転ガイド部１０，１１の間の空間に潜り込んだ状態になる。しかしながら、ヒンジ用穴９の回転ガイド部１０と回転ガイド部１１とをそれぞれ構成する円弧の中心Ｏａ、Ｏｂが異なっていると共に、ヒンジ用凸部４の凹曲面部５と凸曲面部６を構成する円弧の中心Ｏｃ，Ｏｄが異なっており、プリンタカバー３の解放操作によるずれを吸収する面が形成されているため、プリンタカバー３の回転中心が実状と合致することになり、プリンタカバー３のヒンジ用凸部４とプリンタ本体ケース１の回転ガイド部１０、１１との間に適正な間隙が確保されて、プリンタカバー３は円滑に回動できる。
【００２３】
このように上記実施の形態では、ヒンジ用穴９を構成する回転ガイド部１０と回転ガイド部１１の周面を構成する円弧の中心をずらし、且つヒンジ用凸部４の凹曲面部５と凸曲面部６の周面を構成する円弧の中心をずらして前記ヒンジ用穴９とヒンジ用凸部４とのずれを吸収する摺動面が形成されてなり、プリンタカバー３を解放しようとしてプリンタカバー３のヒンジ用凸部４がプリンタ本体ケース１の回転ガイド部１０，１１の間の空間に潜り込んだ状態になっても、実状に合った回転中心が形成されて適正なる間隙が形成されることになるので、円滑なる解放操作ができることになる。
【００２４】
また、上記実施の形態では、プリンタカバー３のヒンジ用凸部４における凸曲面部６の円弧の中心Ｏｄが、凹曲面部５の中心Ｏｃよりプリンタカバー３側に配置されているので、この凸曲面部６の円弧がプリンタカバー３側の根本側に行くほど太くでき、ヒンジ用凸部４の強度を増すことができる。
【００２５】
【発明の効果】
本発明によれば、前記ヒンジ用穴を構成する外側回転ガイド部及び内側回転ガイドと、前記ヒンジ用凸部の凹曲面部と凸曲面部とに、プリンタカバー回動時の前記ヒンジ用凸部の前記ヒンジ用穴に対する相対的位置ずれを吸収して前記回動を円滑化する摺動面を形成してなるので、プリンタカバーを開放させる際に、そのヒンジ用凸部がプリンタ本体ケースの外側回転ガイド部及び内側回転ガイド部の間の空間に潜り込んだ状態になっても、回転ガイド部とヒンジ用凸部との間にプリンタカバーを円滑に回動させるために必要な隙間が確保されて、プリンタカバーを円滑に回動できる。
【図面の簡単な説明】
【図１】本発明に係るプリンタカバーの一実施の形態を示す断面図である。
【図２】本発明に係るプリンタの一実施の形態を示す斜視図である。
【図３】本発明に係るプリンタカバーのヒンジ装置を供えたプリンタ本体ケース側の一実施の形態を示す斜視図である。
【図４】同プリンタカバーの一例を示す斜視図である。
【図５】同プリンタカバーのヒンジ装置のヒンジ用穴を拡大して示す断面図である。
【図６】同プリンタカバーのヒンジ装置のヒンジ用凸部を拡大して示す断面図である。
【図７】従来のプリンタの要部を一部断面で示す図である。
【図８】従来のプリンタのヒンジ装置の要部であって、図６とは別な部分で切った断面を拡大して示す図である。
【図９】従来のプリンタカバーのヒンジ装置の欠点を説明するために、図５とは別な部分で切った断面を拡大して示す図である。
【符号の説明】
１  プリンタ本体ケース
２  ヒンジ装置
３  プリンタカバー
４  ヒンジ用凸部
５  凹曲面部
６  凸曲面部
９  ヒンジ用穴
１０，１１  回転ガイド部
１２  先端部
１３  受け部
１４  傾斜部
１８  端部
【図１】
0003651558.tif 000002
【図２】
0003651558.tif 000003
【図３】
0003651558.tif 000004
【図４】
0003651558.tif 000005
【図５】
0003651558.tif 000006
【図６】
0003651558.tif 000007
【図７】
0003651558.tif 000008
【図８】
0003651558.tif 000009
【図９】
0003651558.tif 000010